(57)【要約】      （修正有）【課題】アドレス−ディスプレイ混合による放電ディスプレイパネルの駆動方法を提供する。【解決手段】第１及び第２サブフィールド類型が単位フレームのサブフィールドのうち少なくとも二つのサブフィールドに使われる。第１サブフィールド類型は、第１表示電極グループに対するアドレッシング時間と表示維持時間、第２表示電極グループに対するアドレッシング時間、及び第１及び第２表示電極グループに対する表示維持時間を順次に含む。第２サブフィールド類型は第２表示電極グループに対するアドレッシング時間と表示維持時間、第１表示電極グループに対するアドレッシング時間、及び第１及び第２表示電極グループに対する表示維持時間を順次に含む。また、単位フレームのサブフィールドのうち少なくとも二つのサブフィールドの表示維持時間が相等しい。【選択図】図４
2005215670.tif 000002
【特許請求の範囲】
【請求項１】
ディスプレイ電極ライン対が平行に形成され、アドレス電極ラインが前記ディスプレイ電極ライン対と離隔及び交差するように形成される放電ディスプレイパネルにおいて、複数のサブフィールドを単位フレームに含めて時分割駆動により階調ディスプレイを行うが、少なくとも一つのディスプレイ電極ライン対が一つのディスプレイ電極ライングループに含まれるように前記ディスプレイ電極ライン対を少なくとも第１及び第２ディスプレイ電極ライングループにグループ化して駆動する放電ディスプレイパネルの駆動方法において、
第１及び第２サブフィールド類型が前記単位フレームのサブフィールドのうち少なくとも二つのサブフィールドに使われ、
前記第１サブフィールド類型の少なくとも一つのサブフィールドが、
前記第１ディスプレイ電極ライングループに対するアドレッシング時間、前記第１ディスプレイ電極ライングループに対するディスプレイ維持時間、前記第２ディスプレイ電極ライングループに対するアドレッシング時間、及び前記第１及び第２ディスプレイ電極ライングループに対するディスプレイ維持時間を順次に含み、
前記第２サブフィールド類型の少なくとも一つのサブフィールドが、
前記第２ディスプレイ電極ライングループに対するアドレッシング時間、前記第２ディスプレイ電極ライングループに対するディスプレイ維持時間、前記第１ディスプレイ電極ライングループに対するアドレッシング時間、及び前記第１及び第２ディスプレイ電極ライングループに対するディスプレイ維持時間を順次に含み、
前記単位フレームのサブフィールドのうち少なくとも二つのサブフィールドのディスプレイ維持時間が相等しい放電ディスプレイパネルの駆動方法。
【請求項２】
前記第１ディスプレイ電極ライングループに対するアドレッシング時間で、
前記第１ディスプレイ電極ライングループのディスプレイセルのうち選択されたディスプレイセルに設定壁電圧が生成される請求項１に記載の放電ディスプレイパネルの駆動方法。
【請求項３】
前記第１ディスプレイ電極ライングループに対するディスプレイ維持時間で、
前記第１ディスプレイ電極ライングループのディスプレイセルのうち前記選択されたディスプレイセルでディスプレイ維持放電が起きる請求項２に記載の放電ディスプレイパネルの駆動方法。
【請求項４】
前記第１ディスプレイ電極ライングループに対するディスプレイ維持時間で、
前記第１ディスプレイ電極ライングループのディスプレイセルに交流電圧が印加される請求項３に記載の放電ディスプレイパネルの駆動方法。
【請求項５】
前記第２ディスプレイ電極ライングループに対するアドレッシング時間で、
前記第２ディスプレイ電極ライングループのディスプレイセルのうち選択されたディスプレイセルに設定壁電圧が生成される請求項１に記載の放電ディスプレイパネルの駆動方法。
【請求項６】
前記第２ディスプレイ電極ライングループに対するディスプレイ維持時間で、
前記第２ディスプレイ電極ライングループのディスプレイセルのうち前記選択されたディスプレイセルでディスプレイ維持放電が起きる請求項５に記載の放電ディスプレイパネルの駆動方法。
【請求項７】
前記第２ディスプレイ電極ライングループに対するディスプレイ維持時間で、
前記第２ディスプレイ電極ライングループのディスプレイセルに交流電圧が印加される請求項６に記載の放電ディスプレイパネルの駆動方法。
【請求項８】
前記第１及び第２ディスプレイ電極ライングループに対するディスプレイ維持時間で、
前記第１及び第２ディスプレイ電極ライングループのディスプレイセルのうち選択されたディスプレイセルでディスプレイ維持放電が起きる請求項１に記載の放電ディスプレイパネルの駆動方法。
【請求項９】
前記第１及び第２ディスプレイ電極ライングループに対するディスプレイ維持時間で、
前記第１及び第２ディスプレイ電極ライングループのディスプレイセルに交流電圧が印加される請求項８に記載の放電ディスプレイパネルの駆動方法。
【請求項１０】
前記第１サブフィールド類型のそれぞれのサブフィールドが、
前記第１ディスプレイ電極ライングループに対するアドレッシング時間の開始前に前記少なくとも第１及び第２ディスプレイ電極ライングループのあらゆるディスプレイセルの電荷状態が均一になるリセット時間をさらに含む請求項１に記載の放電ディスプレイパネルの駆動方法。
【請求項１１】
前記第２サブフィールド類型のそれぞれのサブフィールドが、
前記第２ディスプレイ電極ライングループに対するアドレッシング時間の開始前に前記少なくとも第１及び第２ディスプレイ電極ライングループのあらゆるディスプレイセルの電荷状態が均一になるリセット時間をさらに含む請求項１に記載の放電ディスプレイパネルの駆動方法。
【請求項１２】
前記第１サブフィールド類型のそれぞれのサブフィールドで、前記第１ディスプレイ電極ライングループに対するディスプレイ維持時間と前記第１及び第２ディスプレイ電極ライングループに対するディスプレイ維持時間とが相等しく、
前記第２サブフィールド類型のそれぞれのサブフィールドで、前記第２ディスプレイ電極ライングループに対するディスプレイ維持時間と前記第１及び第２ディスプレイ電極ライングループに対するディスプレイ維持時間とが相等しい請求項１に記載の放電ディスプレイパネルの駆動方法。
【請求項１３】
前記単位フレームで、
前記第１ディスプレイ電極ライングループに対する総ディスプレイ維持時間と前記第２ディスプレイ電極ライングループに対する総ディスプレイ維持時間とが相等しい請求項１に記載の放電ディスプレイパネルの駆動方法。
【請求項１４】
前記単位フレームがサブフィールドの階調加重値が次第に大きくなる順番に第１ないし第ｎ(ｎは４以上の整数)サブフィールドを含み、
第１ないし第ｎ−ｉ(ｉは２以上の整数)サブフィールドで前記第１及び第２サブフィールド類型が使われ、
第ｎ−ｉ＋１ないし第ｎサブフィールドの階調加重値がそれぞれ等しいことにより、前記第ｎ−ｉ＋１ないし第ｎサブフィールドのディスプレイ維持時間がそれぞれ等しい請求項１に記載の放電ディスプレイパネルの駆動方法。
【請求項１５】
ディスプレイ維持時間が相等しい前記少なくとも二つのサブフィールドのそれぞれが、
前記第１及び第２ディスプレイ電極ライングループに対するアドレッシング時間と、
前記第１及び第２ディスプレイ電極ライングループに対するディスプレイ維持時間とを順次に含む請求項１に記載の放電ディスプレイパネルの駆動方法。
【請求項１６】
ディスプレイ維持時間が相等しい前記少なくとも二つのサブフィールドのうち最先のサブフィールドだけが、
前記少なくとも第１及び第２ディスプレイ電極ライングループに対するアドレッシング時間の開始前に前記少なくとも第１及び第２ディスプレイ電極ライングループのあらゆるディスプレイセルの電荷状態が均一になるリセット時間をさらに含む請求項１５に記載の放電ディスプレイパネルの駆動方法。
【発明の詳細な説明】
【技術分野】
【０００１】
本発明は、放電ディスプレイパネルの駆動方法に係り、より詳細には、ディスプレイ電極ライン対が平行に形成され、アドレス電極ラインがディスプレイ電極ライン対と離隔及び交差するように形成される放電ディスプレイパネルにおいて、複数のサブフィールドを単位フレームに含めて時分割駆動によって階調ディスプレイを行う放電ディスプレイパネルの駆動方法に関する。
【背景技術】
【０００２】
図１は、通常的な放電ディスプレイパネル、例えば、３電極面放電方式のプラズマディスプレイパネル（ＰＤＰ）の構造を示す。図２は、図１のパネルの１ディスプレイセルの例を示す。図１及び２を参照すれば、通常的な面放電ＰＤＰ１の前及び背面ガラス基板１０、１３の間には、アドレス電極ラインＡＲ１，ＡＧ１，・・・，ＡＧｍ，ＡＢｍ、誘電層１１、１５、Ｙ電極ラインＹ１，・・・，Ｙｎ、Ｘ電極ラインＸ１，・・・，Ｘｎ、蛍光層１６、隔壁１７、及び保護層としての一酸化マグネシウム(ＭｇＯ)層１２が設けられている。
【０００３】
アドレス電極ラインＡＲ１，ＡＧ１，・・・，ＡＧｍ，ＡＢｍは、背面ガラス基板１３の前方に一定のパターンで形成される。下方誘電層１５は、アドレス電極ラインＡＲ１，ＡＧ１，・・・，ＡＧｍ，ＡＢｍの前方で全面塗布される。下方誘電層１５の前方には隔壁１７がアドレス電極ラインＡＲ１，ＡＧ１，・・・，ＡＧｍ，ＡＢｍと平行した方向に形成される。この隔壁１７は各ディスプレイセルの放電領域を区画し、各ディスプレイセル間の光学的干渉を防止する機能をする。蛍光層１６は、隔壁１７間で形成される。
【０００４】
ディスプレイ電極ライン対をなすＸ電極ラインＸ１，・・・，ＸｎとＹ電極ラインＹ１，・・・，Ｙｎとは、アドレス電極ラインＡＲ１，ＡＧ１，・・・，ＡＧｍ，ＡＢｍと直交するように前面ガラス基板１０の後方に一定のパターンで形成される。各交差点は相応するディスプレイセルを設定する。各Ｘ電極ラインＸ１，・・・，Ｘｎと各Ｙ電極ラインＹ１，・・・，Ｙｎとは、ＩＴＯ(Ｉｎｄｉｕｍ  Ｔｉｎ  Ｏｘｉｄｅ)などの透明な導電性材質の透明電極ライン(図２のＸｎａ、Ｙｎａ)と伝導度を高めるための金属電極ライン(図２のＸｎｂ，Ｙｎｂ）が結合されて形成される。前方誘電層１１は、Ｘ電極ラインＸ１，・・・，ＸｎとＹ電極ラインＹ１，・・・，Ｙｎとの後方に全面塗布されて形成される。強い電界からパネル１を保護するための保護層１２、例えば、一酸化マグネシウム(ＭｇＯ)層は前方誘電層１１の後方に全面塗布されて形成される。放電空間１４にはプラズマ形成用ガスが密封される。
【０００５】
このようなＰＤＰに基本的に適用される駆動方法においては、リセット、アドレス、及びディスプレイ維持段階が単位サブフィールドで順次に行われる。リセット段階ではあらゆるディスプレイセルの電荷状態が均一になる。アドレッシング段階では、選択されたディスプレイセルに設定壁電圧が生成される。ディスプレイ維持段階では、あらゆるＸＹ電極ライン対に所定の交流電圧が印加されることによって、アドレッシング段階で前記壁電圧が形成されたディスプレイセルがディスプレイ維持放電を起こす。このディスプレイ維持段階において、ディスプレイ維持放電を起こす選択されたディスプレイセルの放電空間１４、すなわちガス層でプラズマが形成され、その紫外線放射によって蛍光層(図１の１６）が励起されて光が発生する。
【０００６】
図３を参照すれば、図１のＰＤＰ１の通常的な駆動装置は、映像処理部６６、制御部６２、アドレス駆動部６３、Ｘ駆動部６４、及びＹ駆動部６５を含む。映像処理部６６は、外部アナログ映像信号をデジタル信号に変換して内部映像信号、例えば、それぞれ８ビットの赤色(Ｒ)、緑色(Ｇ)及び青色(Ｂ)映像データ、クロック信号、垂直及び水平同期信号を発生させる。制御部６２は、映像処理部６６からの内部映像信号によって駆動制御信号ＳＡ、ＳＹ、ＳＸを発生させる。アドレス駆動部６３は、制御部６２からの駆動制御信号ＳＡ、ＳＹ、ＳＸのうちアドレス−信号ＳＡを処理してディスプレイデータ信号を発生させ、発生したディスプレイデータ信号をアドレス電極ラインに印加する。Ｘ駆動部６４は、制御部６２からの駆動制御信号ＳＡ、ＳＹ、ＳＸのうちＸ駆動制御信号ＳＸを処理してＸ電極ラインに印加する。Ｙ駆動部６５は制御部６２からの駆動制御信号ＳＡ、ＳＹ、ＳＸのうちＹ駆動制御信号ＳＹを処理してＹ電極ラインに印加する。
【０００７】
前記のようなＰＤＰ１の駆動装置によって行われる通常的な駆動方法において、アドレス−ディスプレイ分離駆動方法が挙げられる(特許文献１参照)。このアドレス−ディスプレイ分離駆動方法では、単位フレームに含まれた各サブフィールドでアドレッシング時間とディスプレイ維持時間とが互いに分離されている。したがって、アドレッシング時間で各ＸＹ電極ライン対のディスプレイセルが自己のアドレッシングが行われた後に他のＸＹ電極ライン対のディスプレイセルが全てアドレッシングされるまで待たねばならない。このようにアドレッシングが行われた後の待機時間の存在によって各ディスプレイセルの壁電荷状態が不均一になって、アドレッシング時間の終了時点で始まるディスプレイ維持時間でディスプレイ維持放電の正確度が落ちるという問題がある。
【特許文献１】米国特許第５，５４１，６１８号公報
【発明の開示】
【発明が解決しようとする課題】
【０００８】
本発明の目的は、放電ディスプレイパネルの駆動方法において、放電セルのアドレッシング後に他のＸＹ電極ライン対が全てアドレッシングされるまでの待機時間を短縮することによって、アドレッシング時間の終了時点で始まるディスプレイ維持時間でディスプレイ維持放電の正確度を高めうる放電ディスプレイパネルの駆動方法を提供することである。
【０００９】
本発明の他の目的は、時分割駆動によって動映像をディスプレイする過程においてユーザに見られる擬似輪郭の発生確率を下げうる放電ディスプレイパネルの駆動方法を提供することである。
【課題を解決するための手段】
【００１０】
前記目的を達成するための本発明は、ディスプレイ電極ライン対が平行に形成され、アドレス電極ラインが前記ディスプレイ電極ライン対と離隔及び交差するように形成される放電ディスプレイパネルにおいて、複数のサブフィールドを単位フレームに含めて時分割駆動により階調ディスプレイを行うが、少なくとも一つのディスプレイ電極ライン対が一つのディスプレイ電極ライングループに含まれるように前記ディスプレイ電極ライン対を少なくとも第１及び第２ディスプレイ電極ライングループにグループ化して駆動する放電ディスプレイパネルの駆動方法において、第１及び第２サブフィールド類型が前記単位フレームのサブフィールドのうち少なくとも二つのサブフィールドに使われる。前記第１サブフィールド類型の少なくとも一つのサブフィールドは、前記第１ディスプレイ電極ライングループに対するアドレッシング時間、前記第１ディスプレイ電極ライングループに対するディスプレイ維持時間、前記第２ディスプレイ電極ライングループに対するアドレッシング時間、及び前記第１及び第２ディスプレイ電極ライングループに対するディスプレイ維持時間を順次に含む。前記第２サブフィールド類型の少なくとも一つのサブフィールドは、前記第２ディスプレイ電極ライングループに対するアドレッシング時間、前記第２ディスプレイ電極ライングループに対するディスプレイ維持時間、前記第１ディスプレイ電極ライングループに対するアドレッシング時間、及び前記第１及び第２ディスプレイ電極ライングループに対するディスプレイ維持時間を順次に含む。また、前記単位フレームのサブフィールドのうち少なくとも二つのサブフィールドのディスプレイ維持時間が相等しい。
【発明の効果】
【００１１】
本発明に係る放電ディスプレイパネルの駆動方法によれば、第１サブフィールド類型のそれぞれのサブフィールドで、第１ディスプレイ電極ライングループに対するアドレッシングが完了した後に第２ディスプレイ電極ライングループに対するアドレッシングより第１ディスプレイ電極ライングループに対するディスプレイ維持放電が先に行われる。同様に、第２サブフィールド類型のそれぞれのサブフィールドで、第２ディスプレイ電極ライングループに対するアドレッシングが完了した後に第１ディスプレイ電極ライングループに対するアドレッシングより第２ディスプレイ電極ライングループに対するディスプレイ維持放電が先に行われる。これにより、各ＸＹ電極ライン対のディスプレイセルが自己のアドレッシングが行われた後に他のＸＹ電極ライン対のディスプレイセルが全てアドレッシングされるまでの待機時間が短縮されるので、アドレッシング時間の終了時点で始まるディスプレイ維持時間でディスプレイ維持放電の正確度を高めることができる。
【００１２】
また、単位フレームのサブフィールドのうち少なくとも二つのサブフィールドのディスプレイ維持時間が相等しいので、時分割駆動によって動映像をディスプレイする過程でユーザに見られる擬似輪郭の発生確率が低くなる。
【発明を実施するための最良の形態】
【００１３】
本発明の目的と利点を添付した図面に基づき、本発明の望ましい実施の形態を説明することにより明確に説明する。
【００１４】
図４は、本発明の一実施の形態によるアドレス−ディスプレイ混合駆動方法に使われる単位フレームを示す。図４において参照符号ＳＦ１ないしＳＦ９は単位フレーム内でそれぞれ割り当てられたサブフィールドを、ＹＧ１は奇数番目のＹ電極−ラインを含む第１ディスプレイ電極ライングループとしての第１Ｙ電極−ライングループを、ＹＧ２は偶数番目のＹ電極−ラインを含む第２ディスプレイ電極ライングループとしての第２Ｙ電極−ライングループを、Ｒ１ないしＲ７はリセット時間を、Ａ１ないしＡ１５はアドレッシング時間を、そしてＳ１ないしＳ１５はディスプレイ維持時間をそれぞれ示す。単位フレームにおいて、第１ディスプレイ電極ライングループＹＧ１に対する総ディスプレイ維持時間と前記第２ディスプレイ電極ライングループＹＧ２に対する総ディスプレイ維持時間とが相等しい。
【００１５】
図４を参照すれば、第１サブフィールド類型のサブフィールドＳＦ１、ＳＦ３、ＳＦ５のそれぞれは第１及び第２ディスプレイ電極ライングループＹＧ１,ＹＧ２に対するリセット時間Ｒ１、Ｒ３、またはＲ５、第１ディスプレイ電極ライングループＹＧ１に対するアドレッシング時間Ａ１、Ａ５、またはＡ９、第１ディスプレイ電極ライングループＹＧ１に対するディスプレイ維持時間Ｓ１、Ｓ５、またはＳ９、第２ディスプレイ電極ライングループＹＧ２に対するアドレッシング時間Ａ２、Ａ６、またはＡ１０、及び第１及び第２ディスプレイ電極ライングループＹＧ１,ＹＧ２に対する共通ディスプレイ維持時間Ｓ２、Ｓ６、またはＳ１０を順次に含む。
【００１６】
また、第２サブフィールド類型のサブフィールドＳＦ２、ＳＦ４、ＳＦ６のそれぞれは第１及び第２ディスプレイ電極ライングループＹＧ１,ＹＧ２に対するリセット時間Ｒ２、Ｒ４、またはＲ６、第２ディスプレイ電極ライングループＹＧ２に対するアドレッシング時間Ａ３、Ａ７、またはＡ１１、第２ディスプレイ電極ライングループＹＧ２に対するディスプレイ維持時間Ｓ３、Ｓ７、またはＳ１１、第１ディスプレイ電極ライングループＹＧ１に対するアドレッシング時間Ａ４、Ａ８、またはＡ１２、第１及び第２ディスプレイ電極ライングループＹＧ１,ＹＧ２に対する共通ディスプレイ維持時間Ｓ４、Ｓ８、またはＳ１２を順次に含む。
【００１７】
このように、前記第１及び第２サブフィールド類型が第１ないし第６サブフィールドＳＦ１ないしＳＦ６で使われることによって次のような効果が得られる。
【００１８】
第１サブフィールド類型のそれぞれのサブフィールドＳＦ１、ＳＦ３、ＳＦ５で、第１ディスプレイ電極ライングループＹＧ１に対するアドレッシングが完了した後に第２ディスプレイ電極ライングループＹＧ２に対するアドレッシングより第１ディスプレイ電極ライングループＹＧ１に対するディスプレイ維持放電が先に行われる。同様に、第２サブフィールド類型のそれぞれのサブフィールドＳＦ２、ＳＦ４、ＳＦ６で、第２ディスプレイ電極ライングループＹＧ２に対するアドレッシングが完了した後に第１ディスプレイ電極ライングループＹＧ１に対するアドレッシングより第２ディスプレイ電極ライングループＹＧ２に対するディスプレイ維持放電が先に行われる。これにより、各ＸＹ電極ライン対のディスプレイセルが自己のアドレッシングが行われた後に他のＸＹ電極ライン対のディスプレイセルが全てアドレッシングされるまでの待機時間が短縮されるので、アドレッシング時間の終了時点で始まるディスプレイ維持時間でディスプレイ維持放電の正確度が高まりうる。
【００１９】
第１サブフィールド類型のサブフィールドＳＦ１、ＳＦ３、ＳＦ５それぞれでの動作を説明すれば、次の通りである。
【００２０】
リセット時間Ｒ１、Ｒ３、またはＲ５ではあらゆるディスプレイセルの電荷状態が均一になる。
【００２１】
第１ディスプレイ電極ライングループＹＧ１に対するアドレッシング時間Ａ１、Ａ５、またはＡ９では、第１ディスプレイ電極ライングループＹＧ１としての第１Ｙ電極−ライングループの選択されたディスプレイセルに設定壁電圧が生成される。第１ディスプレイ電極ライングループＹＧ１に対するディスプレイ維持時間Ｓ１、Ｓ５、またはＳ９では、アドレッシングされた第１ディスプレイ電極ライングループＹＧ１を構成する奇数番目のＸＹ電極ライン対に設定された交流電圧が印加されることによって、第１ディスプレイ電極ライングループＹＧ１に対するアドレッシング時間Ａ１、Ａ５、またはＡ９で選択されて設定壁電圧が形成されたディスプレイセルがディスプレイ維持放電を起こす。第２ディスプレイ電極ライングループＹＧ２に対するアドレッシング時間Ａ２、Ａ６、またはＡ１０では、第２ディスプレイ電極ライングループＹＧ２としての第２Ｙ電極−ライングループの選択されたディスプレイセルに設定壁電圧が生成される。第１及び第２ディスプレイ電極ライングループＹＧ１,ＹＧ２に対する共通ディスプレイ維持時間Ｓ２、Ｓ６、またはＳ１０では、第１ディスプレイ電極ライングループＹＧ１を構成する奇数番目のＸＹ電極ライン対及び最近にアドレッシングされた第２ディスプレイ電極ライングループＹＧ２を構成する偶数番目のＸＹ電極ライン対に設定された交流電圧が印加されることによって、あらゆる選択されたディスプレイセルがディスプレイ維持放電を起こす。
【００２２】
第２サブフィールド類型のサブフィールドＳＦ２、ＳＦ４、ＳＦ６それぞれでの動作を説明すれば、次の通りである。
【００２３】
リセット時間Ｒ２、Ｒ４、またはＲ６ではあらゆるディスプレイセルの電荷状態が均一になる。
【００２４】
第２ディスプレイ電極ライングループＹＧ２に対するアドレッシング時間Ａ３、Ａ７、またはＡ１１では、第２ディスプレイ電極ライングループＹＧ２としての第２Ｙ電極−ライングループの選択されたディスプレイセルに設定壁電圧が生成される。第２ディスプレイ電極ライングループＹＧ２に対するディスプレイ維持時間Ｓ３、Ｓ７、またはＳ１１では、アドレッシングされた第２ディスプレイ電極ライングループＹＧ２を構成する偶数番目のＸＹ電極ライン対に設定された交流電圧が印加されることによって、第２ディスプレイ電極ライングループＹＧ２に対するアドレッシング時間Ａ３、Ａ７、またはＡ１１で選択されて設定壁電圧が形成されたディスプレイセルがディスプレイ維持放電を起こす。第１ディスプレイ電極ライングループＹＧ１に対するアドレッシング時間Ａ４、Ａ８、またはＡ１２では、第１ディスプレイ電極ライングループＹＧ１としての第１Ｙ電極−ライングループの選択されたディスプレイセルに設定壁電圧が生成される。第１及び第２ディスプレイ電極ライングループＹＧ１,ＹＧ２に対する共通ディスプレイ維持時間Ｓ４、Ｓ８、またはＳ１２では、第２ディスプレイ電極ライングループＹＧ２を構成する偶数番目のＸＹ電極ライン対及び最近にアドレッシングされた第１ディスプレイ電極ライングループＹＧ１を構成する奇数番目のＸＹ電極ライン対に設定された交流電圧が印加されることによって、あらゆる選択されたディスプレイセルがディスプレイ維持放電を起こす。
【００２５】
一方、最も高い階調加重値の三つのサブフィールドＳＦ７ないしＳＦ９のディスプレイ維持時間Ｓ１３ないしＳ１５はそれぞれ等しい。これにより、時分割駆動によって動映像をディスプレイする過程でユーザに見られる擬似輪郭の発生確率が低くなりうる。
【００２６】
最も高い階調加重値の三つのサブフィールドＳＦ７ないしＳＦ９のそれぞれは、第１及び第２ディスプレイ電極ライングループＹＧ１,ＹＧ２に対するアドレッシング時間Ａ１３、Ａ１４、またはＡ１５、及び第１及び第２ディスプレイ電極ライングループＹＧ１,ＹＧ２に対するディスプレイ維持時間Ｓ１３、Ｓ１４、またはＳ１５を順次に含む。三つのサブフィールドＳＦ７ないしＳＦ９のうち最先のサブフィールドでは、第１及び第２ディスプレイ電極ライングループＹＧ１,ＹＧ２に対するアドレッシング時間Ａ１３の開始前に第１及び第２ディスプレイ電極ライングループＹＧ１,ＹＧ２のあらゆるディスプレイの電荷状態が均一になるリセット時間Ｒ７が存在する。第８及び第９サブフィールドＳＦ８、ＳＦ９でリセット時間が存在しなくても支障のない理由は、最も高い階調加重値の三つのサブフィールドＳＦ７ないしＳＦ９のそれぞれの映像データが等しいか類似している確率が高いためである。このように強いリセット放電が省略できるので、コントラスト性能が向上し、消費電力が節減できる。
【００２７】
図５は、図４における第１サブフィールド類型のサブフィールドＳＦ１、ＳＦ３、ＳＦ５のそれぞれで各電極ラインに印加される駆動信号の電圧波形を示す。図５で参照符号ＳＡＲ１・・ＡＢｍは、アドレス駆動部(図３の６３)からアドレス電極ライン(図１のＡＲ１ないしＡＢｍ)に印加されるディスプレイデータ信号を、ＳＸ１ないしＳＸｎはＸ駆動部(図３の６４)からあらゆるＸ電極ライン(図１のＸ１，・・・，Ｘｎ)に印加される駆動信号を、ＳＹ１及びＳＹ２はＹ駆動部(図３の６５)から各ディスプレイ電極ライングループに印加される駆動信号を、Ｒ１はリセット時間を、Ａ１及びＡ２はアドレッシング時間を、そして、Ｓ１及びＳ２はディスプレイ維持時間をそれぞれ示す。図１、４、及び５を参照して、図４の第１サブフィールド類型のサブフィールドＳＦ１、ＳＦ３、ＳＦ５のそれぞれの動作過程をさらに詳細に説明する。
【００２８】
まず、リセット時間Ｒ１の動作過程を詳細に説明する。
【００２９】
リセット時間Ｒ１の第１時間では、Ｘ電極ラインＸ１，・・・，Ｘｎに印加される電圧が接地電圧ＶＧから第２電圧ＶＳまで持続的に上昇する。ここで、第２ディスプレイ電極ラインとしてのＹ電極ラインＹ１，・・・，Ｙｎとアドレス電極ラインＡＲ１，・・・，ＡＢｍには第３電圧としての接地電圧ＶＧが印加される。これにより、第１ディスプレイ電極ラインとしてのＸ電極ラインＸ１，・・・，ＸｎとＹ電極ラインＹ１，・・・，Ｙｎとの間、及びＸ電極ラインＸ１，・・・，Ｘｎとアドレス電極ラインＡ１，・・・，Ａｍとの間に弱い放電が起きながらＸ電極ラインＸ１，・・・，Ｘｎの周囲に負極性の壁電荷が形成される。
【００３０】
リセット時間Ｒ１の壁電荷蓄積時間としての第２時間では、Ｙ電極ラインＹ１，・・・，Ｙｎに印加される電圧が第２電圧ＶＳから第２電圧ＶＳより第６電圧ＶＳＥＴだけさらに高い第１電圧ＶＳＥＴ＋ＶＳまで持続的に上昇する。ここで、Ｘ電極ラインＸ１，・・・，Ｘｎとアドレス電極ラインＡＲ１，・・・，ＡＢｍには接地電圧ＶＧが印加される。これにより、Ｙ電極ラインＹ１，・・・，ＹｎとＸ電極ラインＸ１，・・・，Ｘｎとの間に弱い放電が起きる一方、Ｙ電極ラインＹ１，・・・，Ｙｎとアドレス電極ラインＡＲ１，・・・，ＡＢｍとの間にさらに弱い放電が起きる。ここで、Ｙ電極ラインＹ１，・・・，Ｙｎとアドレス電極ラインＡＲ１，・・・，ＡＢｍ間の放電よりＹ電極ラインＹ１，・・・，ＹｎとＸ電極ラインＸ１，・・・，Ｘｎ間の放電がさらに強くなる理由は、Ｘ電極ラインＸ１，・・・，Ｘｎの周囲に負極性の壁電荷が形成されているためである。これにより、Ｙ電極ラインＹ１，・・・，Ｙｎの周囲には負極性壁電荷が多く形成され、Ｘ電極ラインＸ１，・・・，Ｘｎの周囲には正極性の壁電荷が形成され、アドレス電極ラインＡＲ１，・・・，ＡＢｍの周囲には正極性の壁電荷が少なく形成される(図８参照)。
【００３１】
リセット時間Ｒ１の壁電荷配分時間としての第３時間では、Ｘ電極ラインＸ１，・・・，Ｘｎに印加される電圧が第２電圧ＶＳに維持された状態で、Ｙ電極ラインＹ１，・・・，Ｙｎに印加される電圧が第２電圧ＶＳから負極性電圧ＶＳＣＡＮまで持続的に下降する。ここで、アドレス電極ラインＡＲ１，・・・，ＡＢｍには接地電圧ＶＧが印加される。これにより、Ｘ電極ラインＸ１，・・・，ＸｎとＹ電極ラインＹ１，・・・，Ｙｎとの間の弱い放電によって、Ｙ電極ラインＹ１，・・・，Ｙｎの周囲の負極性の壁電荷の一部がＸ電極ラインＸ１，・・・，Ｘｎの周囲に移動する(図９参照)。
【００３２】
これにより、Ｘ電極ラインＸ１，・・・，Ｘｎの壁電位がアドレス電極ラインＡＲ１，・・・，ＡＢｍの壁電位より低く、Ｙ電極ラインＹ１，・・・，Ｙｎの壁電位より高くなる。これにより、続くアドレッシング時間Ａ１、Ａ２で選択されたアドレス電極ラインとＹ電極ライン間の対向放電に要求されるアドレッシング電圧が低くなりうる。
【００３３】
第１ディスプレイ電極ライングループＹＧ１に対するアドレッシング時間Ａ１において、あらゆるＸ電極ラインＸ１，・・・，Ｘｎに印加される電圧が第２電圧ＶＳに維持された状態で、負極性の走査電圧ＶＳＣＡＮが第１ディスプレイ電極ライングループＹＧ１を構成する奇数番目のＹ電極ラインに順次に印加されると同時に、アドレス電極ラインＡＲ１，・・・，ＡＢｍにディスプレイデータ信号が印加される。これにより、第１ディスプレイ電極ライングループＹＧ１の選択されたディスプレイセルに設定壁電圧が生成される。より詳細には、選択されたディスプレイセルのＹ電極の周囲に正極性の壁電位が生成され、アドレス電極の周囲に負極性の壁電位が生成される。走査電圧が印加されていない間にはあらゆるＹ電極ラインＹ１，・・・，Ｙｎに正極性のバイアス電圧ＶＥが印加される。
【００３４】
第１ディスプレイ電極ライングループＹＧ１に対するディスプレイ維持時間Ｓ１において、第１ディスプレイ電極ライングループＹＧ１のＸ電極ラインとＹ電極ラインとに交流電圧が印加される。より詳細には、第１ディスプレイ電極ライングループＹＧ１を構成する奇数番目のＹ電極ラインとＸ電極ラインとに第２電圧ＶＳのパルスが交互に印加される。
【００３５】
前記のような駆動方法によって、第２ディスプレイ電極ライングループＹＧ２に対するアドレッシング時間Ａ２が進行する。また、第１及び第２ディスプレイ電極ライングループＹＧ１,ＹＧ２に対する共通ディスプレイ維持時間Ｓ２が進行する。
【００３６】
図６は、図４における第２サブフィールド類型のサブフィールドＳＦ２、ＳＦ４、ＳＦ６のそれぞれで各電極ラインに印加される駆動信号の電圧波形を示す。図６において図５と同じ参照符号は同じ機能の対象を示す。図１、４、及び６を参照して、図４の第２サブフィールド類型のサブフィールドＳＦ２、ＳＦ４、ＳＦ６のそれぞれの動作過程をさらに詳細に説明する。
【００３７】
リセット時間Ｒ２の動作過程は、図５のリセット時間Ｒ１に対する説明と同じである。
【００３８】
第２ディスプレイ電極ライングループＹＧ２に対するアドレッシング時間Ａ３において、あらゆるＸ電極ラインＸ１，・・・，Ｘｎに印加される電圧が第２電圧ＶＳに維持された状態で、負極性の走査電圧ＶＳＣＡＮが第２ディスプレイ電極ライングループＹＧ２を構成する偶数番目のＹ電極ラインに順次に印加されると同時に、アドレス電極ラインＡＲ１，・・・，ＡＢｍにディスプレイデータ信号が印加される。これにより、第２ディスプレイ電極ライングループＹＧ２の選択されたディスプレイセルに設定壁電圧が生成される。より詳細には、選択されたディスプレイセルのＹ電極の周囲に正極性の壁電位が生成され、アドレス電極の周囲に負極性の壁電位が生成される。走査電圧が印加されていない間にはあらゆるＹ電極ラインＹ１，・・・，Ｙｎに正極性のバイアス電圧ＶＥが印加される。
【００３９】
第２ディスプレイ電極ライングループＹＧ２に対するディスプレイ維持時間Ｓ３において、第２ディスプレイ電極ライングループＹＧ２のＸ電極ラインとＹ電極ラインとに交流電圧が印加される。より詳細には、第２ディスプレイ電極ライングループＹＧ２を構成する偶数番目のＹ電極ラインとＸ電極ラインとに第２電圧ＶＳのパルスが交互に印加される。
【００４０】
前記のような駆動方法によって、第１ディスプレイ電極ライングループＹＧ１に対するアドレッシング時間Ａ４が進行する。また、第１及び第２ディスプレイ電極ライングループＹＧ１,ＹＧ２に対する共通ディスプレイ維持時間Ｓ４が進行する。
【００４１】
図７において図５と同じ参照符号は同じ機能の対象を示す。図７において参照符号ＳＹ１は第１Ｙ電極ラインＹ１に印加される駆動信号を、ＳＹ２は第２Ｙ電極ラインＹ２に印加される駆動信号を、そしてＳＹｎは第ｎＹ電極ラインＹｎに印加される駆動信号をそれぞれ示す。図１、４、及び７を参照して、ディスプレイ維持時間がそれぞれ等しい三つのサブフィールドＳＦ７ないしＳＦ９のうち最先のサブフィールドＳＦ７の動作過程をさらに詳細に説明する。
【００４２】
リセット時間Ｒ７の動作過程は図５のリセット時間Ｒ１に対する説明と同じである。
【００４３】
第１及び第２ディスプレイ電極ライングループＹＧ１,ＹＧ２に対するアドレッシング時間Ａ１３において、あらゆるＸ電極ラインＸ１，・・・，Ｘｎに印加される電圧が第２電圧ＶＳに維持された状態で、負極性の走査電圧ＶＳＣＡＮがあらゆるＹ電極ラインＹ１，・・・，Ｙｎに順次に印加されると同時に、アドレス電極ラインＡＲ１，・・・，ＡＢｍにディスプレイデータ信号が印加される。これにより、第１及び第２ディスプレイ電極ライングループＹＧ１,ＹＧ２の選択されたディスプレイセルに設定壁電圧が生成される。より詳細には、選択されたディスプレイセルのＹ電極の周囲に正極性の壁電位が生成され、アドレス電極の周囲に負極性の壁電位が生成される。走査電圧が印加されていない間にはあらゆるＹ電極ラインＹ１，・・・，Ｙｎに正極性のバイアス電圧ＶＥが印加される。
【００４４】
第１及び第２ディスプレイ電極ライングループＹＧ１,ＹＧ２に対するディスプレイ維持時間Ｓ１３において、あらゆるＸ電極ラインＸ１，・・・，ＸｎとＹ電極ラインＹ１，・・・，Ｙｎとの間に交流電圧が印加される。より詳細には、あらゆるＸ電極ラインＸ１，・・・，ＸｎとＹ電極ラインＹ１，・・・，Ｙｎとに第２電圧ＶＳの正極性パルスが交互に印加される。
【００４５】
図４及び１０を参照して、図４の単位フレームでそれぞれの階調がディスプレイされる例を説明する。
【００４６】
第１ディスプレイ電極ライングループＹＧ１の何れか一つのディスプレイセルの階調が‘１’である場合、このディスプレイセルは第２サブフィールドＳＦ２でだけ選択されてディスプレイされる。一方、第２ディスプレイ電極ライングループＹＧ２の何れか一つのディスプレイセルの階調が‘１’である場合、このディスプレイセルは第１サブフィールドＳＦ１でだけ選択されてディスプレイされる。
【００４７】
第１ディスプレイ電極ライングループＹＧ１の何れか一つのディスプレイセルの階調が‘２’である場合、このディスプレイセルは第１サブフィールドＳＦ１でだけ選択されてディスプレイされる。一方、第２ディスプレイ電極ライングループＹＧ２の何れか一つのディスプレイセルの階調が‘２’である場合、このディスプレイセルは第２サブフィールドＳＦ２でだけ選択されてディスプレイされる。
【００４８】
したがって、第１及び第２ディスプレイ電極ライングループＹＧ１,ＹＧ２の何れか一つのディスプレイセルの階調が‘３’である場合、このディスプレイセルは第１及び第２サブフィールドＳＦ１、ＳＦ２でだけ選択されてディスプレイされる。
【００４９】
本発明は、前記実施の形態に限定されず、特許請求の範囲で定義された発明の思想及び範囲内で当業者によって変形及び改良できる。
【産業上の利用可能性】
【００５０】
放電ディスプレイ装置においてディスプレイ維持放電の正確度が高まり、擬似輪郭の発生確率が低くなる。
【図面の簡単な説明】
【００５１】
【図１】通常的な３電極面放電方式のＰＤＰの構造を示す内部斜視図である。
【図２】図１のパネルの一ディスプレイセルの例を示す断面図である。
【図３】図１のＰＤＰの通常的な駆動装置を示すブロック図である。
【図４】本発明の一実施の形態によるアドレス−ディスプレイ混合駆動方法に使われる単位フレームを示すタイミング図である。
【図５】図４の第１サブフィールド類型のサブフィールドＳＦ１、ＳＦ３、ＳＦ５のそれぞれで各電極ラインに印加される駆動信号の電圧波形を示すタイミング図である。
【図６】図４の第２サブフィールド類型のサブフィールドＳＦ２、ＳＦ４、ＳＦ６のそれぞれで各電極ラインに印加される駆動信号の電圧波形を示すタイミング図である。
【図７】図４で最も高い階調加重値に相応するディスプレイ維持時間がそれぞれ等しい三つのサブフィールドＳＦ７ないしＳＦ９のうち最先のサブフィールドＳＦ７で各電極ラインに印加される駆動信号の電圧波形を示すタイミング図である。
【図８】図５ないし７のリセット時間でＹ電極ラインに漸進的な上昇電圧が印加された直後の時点での何れか一つのディスプレイセルの壁電荷分布を示す断面図である。
【図９】図５ないし７のリセット時間の終了時点での何れか一つのディスプレイセルの壁電荷分布を示す断面図である。
【図１０】図４の単位フレームでそれぞれの階調がディスプレイされる例を示す図面である。
【符号の説明】
【００５２】
１    プラズマディスプレイパネル
１０    前面ガラス基板
１１、１５    誘電層
１２    保護層
１３    背面ガラス基板
１４    放電空間
１６    蛍光層
１７    隔壁
Ｘ１，・・・，Ｘｎ    Ｘ電極ライン
Ｙ１，・・・，Ｙｎ    Ｙ電極ライン
ＡＲ１，・・・，ＡＢｍ    アドレス電極ライン
Ｘｎａ、Ｙｎａ    透明電極ライン
Ｘｎｂ、Ｙｎｂ    金属電極ライン
ＳＦ１，・・・，ＳＦ９    サブフィールド
ＳＹ１，・・・，ＳＹ１２３    Ｙ電極駆動信号
６２    論理制御部
ＳＸ１，・・・，ＳＸｎ    Ｘ電極駆動信号
６３    アドレス駆動部、
ＳＡＲ１・・ＡＢｍ    ディスプレイデータ信号
６４    Ｘ駆動部
６５    Ｙ駆動部
６６    映像処理部
【図１】
2005215670.tif 000003
【図２】
2005215670.tif 000004
【図３】
2005215670.tif 000005
【図４】
2005215670.tif 000006
【図５】
2005215670.tif 000007
【図６】
2005215670.tif 000008
【図７】
2005215670.tif 000009
【図８】
2005215670.tif 000010
【図９】
2005215670.tif 000011
【図１０】
2005215670.tif 000012